(57)【要約】【課題】電子黒板に筆記された筆記情報を有効活用することを目的とする。【解決手段】編集可能な形式のファイルを読み込むファイル読込手段と、前記ファイルに基づく画像を表示する表示部に筆記された筆記情報に基づいて前記ファイルを編集するファイル編集手段と、前記ファイル編集手段により編集された編集済みファイルに対する補正処理の実行を指示する実行指示手段と、を有する電子黒板と、前記実行指示手段からの指示を受けて、前記編集済みファイルに補正処理を行う補正処理手段と、前記補正処理手段により補正された補正済みファイルを前記電子黒板に出力する出力処理手段と、を有する情報処理装置と、を備えた情報処理システム。【選択図】図４
2020127095.tif 000002
【特許請求の範囲】
【請求項１】
編集可能な形式のファイルを読み込むファイル読込手段と、
前記ファイルに基づく画像を表示する表示部に筆記された筆記情報に基づいて前記ファイルを編集するファイル編集手段と、
前記ファイル編集手段により編集された編集済みファイルに対する補正処理の実行を指示する実行指示手段と、
を有する電子黒板と、
前記実行指示手段からの指示を受けて、前記編集済みファイルに補正処理を行う補正処理手段と、
前記補正処理手段により補正された補正済みファイルを前記電子黒板に出力する出力処理手段と、
を有する情報処理装置と、
を備えた情報処理システム。
【請求項２】
前記出力処理手段は、前記電子黒板に加えて、前記電子黒板以外の電子端末に前記補正済みファイルを出力する請求項１に記載の情報処理システム。
【請求項３】
前記補正処理手段は、複数の前記編集済みファイルに対して、一括して前記補正処理を行うことを可能とする請求項１または２に記載の情報処理システム。
【請求項４】
前記補正処理手段は、１以上のワークフローを実行することにより前記補正処理を行うものであり、
前記電子黒板は、前記ワークフローの選択を受け付ける選択受付手段を有し、
前記実行指示手段は、前記選択受付手段が受け付けたワークフローの実行を指示する請求項１ないし３いずれか１項に記載の情報処理システム。
【請求項５】
前記補正処理には、ＯＣＲ処理が含まれる請求項１ないし４いずれか１項に記載の情報処理システム。
【請求項６】
前記補正処理には、前記ＯＣＲ処理に加えて、文字を一括して置換する一括置換処理、または誤字を訂正する訂正処理が含まれる請求項５に記載の情報処理システム。
【請求項７】
前記補正処理には、画像補正処理または濃度調整処理が含まれる請求項１ないし４いずれか１項に記載の情報処理システム。
【請求項８】
編集可能な形式のファイルを読み込むファイル読込手段と、
前記ファイルに基づく画像を表示する表示部に筆記された筆記情報に基づいて前記ファイルを編集するファイル編集手段と、
前記ファイル編集手段により編集された編集済みファイルに対する補正処理の実行を、前記補正処理を実行する情報処理装置に対して指示する実行指示手段と、
を有する電子黒板。
【請求項９】
電子黒板に含まれるコンピュータを、
編集可能な形式のファイルを読み込むファイル読込手段と、
前記ファイルに基づく画像を表示する表示部に筆記された筆記情報に基づいて前記ファイルを編集するファイル編集手段と、
前記ファイル編集手段により編集された編集済みファイルに対する補正処理の実行を、前記補正処理を実行する情報処理装置に対して指示する実行指示手段と、
として機能させるプログラム。
【発明の詳細な説明】
【技術分野】
【０００１】
本発明は、情報処理システム、電子黒板、及びプログラムに関する。
【背景技術】
【０００２】
従来の黒板に情報の取込機能や表示機能、通信機能等が追加された電子黒板が知られている。ユーザが電子表示端末に筆記した情報は座標データとして蓄積され、電子黒板のディスプレイに描画される。ユーザは従来の黒板と同様に文字や図形などをディスプレイ上に筆記することができる。
【０００３】
電子黒板には、ＰＣ（Personal Computer）等の電子端末が接続され、電子端末の画面がキャプチャされて電子黒板のディスプレイ上に表示される。ユーザは、電子端末から電子黒板に画像を表示させた状態で、ディスプレイに自由に筆記を行うことができる。このような電子黒板において、会議等で電子黒板に筆記された文字や図形等をスキャンし、スキャンデータを、会議の参加者等に提供可能とすることが提案されている（例えば、特許文献１参照）。
【発明の概要】
【発明が解決しようとする課題】
【０００４】
しかしながら、特許文献１に記載された電子黒板は、ユーザにより筆記された筆記情報をスキャンデータとして配信することを可能とするが、このスキャンデータには、電子黒板に表示される画像等は含まれていない。このため、従来の電子黒板を用いたシステムでは、スキャンデータの提供先において個別にスキャンデータに含まれる筆記情報に基づいて画像ファイル等を編集する必要があり、画像と筆記情報とが統合された最終的な画像ファイルを会議の参加者等で共有することができない。
【０００５】
また、複合機等でスキャンされた原稿のスキャンデータをサーバ装置に送信し、当該サーバ装置において、スキャンデータに含まれる画像や文書の加工、編集、文書チェック等を自動的に処理することによりスキャン業務の効率化を図る、いわゆるスキャンソリューションが提案されている。しかしながら、従来の電子黒板は、スキャンソリューションとは連携されておらず、スキャンデータに含まれる筆記情報が有効活用されていないのが現状である。
【０００６】
開示の技術は、上記事情に鑑みてこれを解決すべくなされたものであり、電子黒板に筆記された筆記情報を有効活用することを目的としている。
【課題を解決するための手段】
【０００７】
開示の技術は、編集可能な形式のファイルを読み込むファイル読込手段と、前記ファイルに基づく画像を表示する表示部に筆記された筆記情報に基づいて前記ファイルを編集するファイル編集手段と、前記ファイル編集手段により編集された編集済みファイルに対する補正処理の実行を指示する実行指示手段と、を有する電子黒板と、前記実行指示手段からの指示を受けて、前記編集済みファイルに補正処理を行う補正処理手段と、前記補正処理手段により補正された補正済みファイルを前記電子黒板に出力する出力処理手段と、を有する情報処理装置と、を備えた情報処理システムである。
【発明の効果】
【０００８】
本発明によれば、電子黒板に筆記された筆記情報を有効活用することができる。
【図面の簡単な説明】
【０００９】
【図１】本発明の一実施形態に係る情報処理システム１の構成例を示す図である。
【図２】電子黒板のハードウェア構成図である。
【図３】サーバ装置、管理者端末、ＰＣを構成する情報処理装置のハードウェア構成例を示す図である。
【図４】情報処理システムのソフトウェア構成例を示す図である。
【図５】ワークフローの定義情報の設定画面の一例を示す図である。
【図６】ワークフローＷＦ１による処理を例示する図である。
【図７】ワークフローＷＦ２による処理を例示する図である。
【図８】ワークフローＷＦ３による処理を例示する図である。
【図９】情報処理システムによる一連の処理を説明するシーケンス図である。
【発明を実施するための形態】
【００１０】
以下、図面を参照して発明を実施するための形態について説明する。各図面において、同一構成部分には同一符号を付し、重複した説明を省略する場合がある。
【００１１】
図１は、本発明の一実施形態に係る情報処理システム１の構成例を示す図である。情報処理システム１は、ネットワークＮを介して接続された電子黒板２と、サーバ装置３とを含む。電子黒板２には、ＰＣ４やＵＳＢ（Universal Serial Bus）５等の外部装置が接続可能である。電子黒板２は、ＩＷＢ（Interactive White Board：相互通信が可能な電子式の黒板機能を有する白板）とも称される電子表示装置である。
【００１２】
サーバ装置３には、サーバ装置３の管理者により操作される管理者端末３ａが接続される。また、ネットワークＮには、情報処理システム１を用いた会議への遠隔地からの参加者等により使用されるＰＣ８が接続される。ＰＣ８には、電子黒板２のディスプレイ２ａの表示を閲覧するためのモニタとして機能する。
【００１３】
電子黒板２のディスプレイ２ａは、外部装置から読み込まれたファイルに基づいた画像表示を行う表示部である。ユーザは、ディスプレイ２ａ上に、電子ペン６や自身の手Ｈを用いて、文字や図形などを筆記することができる。
【００１４】
図２は、電子黒板２のハードウェア構成図である。図２において、電子黒板２は、ＣＰＵ（Central Processing Unit）２０１、ＲＯＭ（Read Only Memory）２０２、ＲＡＭ（Random Access Memory）２０３、ＳＳＤ（Solid State Drive）２０４、ネットワークＩ／Ｆ２０５、及び外部機器接続Ｉ／Ｆ（Interface）２０６を含むコンピュータを備えている。
【００１５】
ＣＰＵ２０１は、電子黒板２の全体の動作を制御する。ＲＯＭ２０２は、ＣＰＵ２０１やＩＰＬ（Initial Program Loader）等のＣＰＵ２０１の駆動に用いられるプログラムを記憶する。ＲＡＭ２０３は、ＣＰＵ２０１のワークエリアとして使用される。ＳＳＤ２０４は、電子黒板用のプログラム等の各種データを記憶する。ネットワークコントローラ２０５は、通信ネットワーク１００との通信を制御する。外部機器接続Ｉ／Ｆ２０６は、各種の外部機器を接続するためのインターフェースである。この場合の外部機器は、例えば、ＵＳＢ（Universal Serial Bus）メモリ５、外付け機器（マイク、スピーカ、カメラ等）である。
【００１６】
また、外部機器接続Ｉ／Ｆ２０６には、外部機器としてＰＣ４を接続することが可能である。ＣＰＵ２０１は、ＰＣ４から外部機器接続Ｉ／Ｆ２０６を介して、コンピュータにより編集可能な形式の各種ファイル（文書ファイル、表計算ファイル、プレゼンテーションファイル、画像ファイル等）を読み込み、ＳＳＤ２０４等に格納することを可能とする。外部機器接続Ｉ／Ｆ２０６は、ＰＣ４から送信される複数のファイルＦを一括して電子黒板２内に取り込むことを可能とする。
【００１７】
また、ＣＰＵ２０１は、ＰＣ４から編集可能な形式のファイルを読み込み、読み込んだファイルを、後述する筆記情報に基づいて編集し、編集後のファイルを外部機器接続Ｉ／Ｆ２０６を介してＰＣ４へ出力することを可能とする。
【００１８】
また、電子黒板２は、ＧＰＵ２１２、ディスプレイコントローラ２１３、接触センサ２１４、センサコントローラ２１５、電子ペンコントローラ２１６、近距離通信回路２１９、及び近距離通信回路２１９のアンテナ２１９ａ、電源スイッチ２２２、及び選択スイッチ類２２３を備えている。
【００１９】
ＧＰＵ（Graphics Processing Unit）２１２は、グラフィクスを専門に扱う半導体チップである。ディスプレイコントローラ２１３は、ＧＰＵ２１２からの出力画像をディスプレイ２ａ等へ出力するために画面表示の制御及び管理を行う。
【００２０】
接触センサ２１４は、ディスプレイ２ａ上に電子ペン２９０やユーザの手Ｈ等が接触したことを検知する。センサコントローラ２１５は、接触センサ２１４の処理を制御する。接触センサ２１４は、赤外線遮断方式による座標の入力及び座標の検出を行う。この座標の入力及び座標の検出する方法は、ディスプレイ２ａの上側両端部に設置された２つ受発光装置が、ディスプレイ２ａに平行して複数の赤外線を放射し、ディスプレイ２ａの周囲に設けられた反射部材によって反射されて、受光素子が放射した光の光路と同一の光路上を戻って来る光を受光する方法である。
【００２１】
接触センサ２１４は、物体によって遮断された２つの受発光装置が放射した赤外線のＩＤをセンサコントローラ２１５に出力し、センサコントローラ２１５が、物体の接触位置である座標位置を特定する。電子ペンコントローラ２１６は、電子ペン６と通信することで、ディスプレイ２ａへのペン先のタッチやペン尻のタッチの有無を判断する。
【００２２】
接触センサ２１４により検出される電子ペン２９０やユーザの手Ｈによるストロークは、ＣＰＵ２０１により、筆記情報としてＲＡＭ２０３等に格納されるとともに、ディスプレイ２ａにリアルタイムに描画される。
【００２３】
近距離通信回路２１９は、ＮＦＣ（Near Field Communication）やＢｌｕｅｔｏｏｔｈ（登録商標）等の通信回路である。電源スイッチ２２２は、電子黒板２の電源のＯＮ／ＯＦＦを切り換えるためのスイッチである。選択スイッチ類２２３は、例えば、ディスプレイ２ａの表示の明暗や色合い等を調整するためのスイッチ群である。
【００２４】
更に、電子黒板２は、バスライン２１０を備えている。バスライン２１０は、ＣＰＵ２０１等の各構成要素を電気的に接続するためのアドレスバスやデータバス等である。
【００２５】
なお、接触センサ２１４は、赤外線遮断方式に限らず、静電容量の変化を検知することにより接触位置を特定する静電容量方式のタッチパネル、対向する２つの抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。また、電子ペンコントローラ２１６が、電子ペン６のペン先及びペン尻だけでなく、電子ペン６のユーザが握る部分や、その他の電子ペンの部分のタッチの有無を判断するようにしてもよい。
【００２６】
なお、電子ペン６だけでなく、ユーザの手Ｈ等によって生じたイベント（拡大、縮小、ページめくり（ページ切り替え）等のジェスチャ）に基づいて、ディスプレイ２ａ上に表示されている画像を変更することも可能である。
【００２７】
電子黒板２に搭載されるページ機能では、新しいページを作成することで、ディスプレイ２ａを白紙のキャンパスとして使用することができる。電子黒板２は、ＰＣ４等から取得した複数のファイルＦを、ディスプレイ２ａ上に同時に表示する。ユーザは、ディスプレイ２ａ上に表示された複数のファイルＦを、電子ペン６等により、ページめくり等を行いながら、編集することができる。
【００２８】
図３は、サーバ装置３、管理者端末３ａ、ＰＣ４，８を構成する情報処理装置のハードウェア構成例を示す図である。図３において、信号処理装置は、コンピュータによって構築されており、ＣＰＵ３０１、ＲＯＭ３０２、ＲＡＭ３０３、ＨＤＤ３０４、ＨＤＤコントローラ３０５、ディスプレイ３０６、外部接続Ｉ／Ｆ３０８、ネットワークＩ／Ｆ３０９、バスライン３１０、キーボード３１１、ポインティングデバイス３１２、ＤＶＤ−ＲＷ（Digital Versatile Disk Rewritable）ドライブ３１４、メディアＩ／Ｆ３１６を有している。
【００２９】
ＣＰＵ３０１は、装置全体の動作を制御する。ＲＯＭ３０２は、ＩＰＬ等のＣＰＵ３０１の駆動に用いられるプログラムを記憶する。ＲＡＭ３０３は、ＣＰＵ３０１のワークエリアとして使用される。ＨＤＤ３０４は、プログラム等の各種データを記憶する。ＨＤＤコントローラ３０５は、ＣＰＵ３０１の制御にしたがってＨＤＤ３０４に対する各種データの読み出し又は書き込みを制御する。
【００３０】
ディスプレイ３０６は、カーソル、メニュー、ウィンドウ、文字、又は画像などの各種情報を表示する。外部接続Ｉ／Ｆ３０８は、各種の外部機器を接続するためのインターフェースである。この場合の外部機器は、例えば、ＵＳＢメモリやプリンタ等である。ネットワークＩ／Ｆ３０９は、ネットワークＮを利用してデータ通信をするためのインターフェースである。バスライン３１０は、ＣＰＵ３０１等の各構成要素を電気的に接続するためのアドレスバスやデータバス等である。
【００３１】
また、キーボード３１１は、文字、数値、各種指示などの入力のための複数のキーを備えた入力手段の一種である。ポインティングデバイス３１２は、各種指示の選択や実行、処理対象の選択、カーソルの移動などを行う入力手段の一種である。ＤＶＤ−ＲＷドライブ３１４は、着脱可能な記録媒体の一例としてのＤＶＤ−ＲＷ３１３に対する各種データの読み出し又は書き込みを制御する。なお、ＤＶＤ−ＲＷに限らず、ＤＶＤ−Ｒ等であってもよい。メディアＩ／Ｆ３１６は、フラッシュメモリ等の記録メディア３１５に対するデータの読み出し又は書き込み（記憶）を制御する。
【００３２】
図４は、情報処理システム１のソフトウェア構成例を示す図である。図４において、電子黒板２は、ファイル送受信部２１、ファイル編集部２２、ワークフロー選択受付部２３、及びワークフロー実行指示部２４を有する。
【００３３】
ファイル送受信部２１は、ＰＣ４との間でファイルの送受信を行う。ファイル送受信部２１がＰＣ４から受信したファイルは、ＲＡＭ３０３等に読み込まれ、ユーザからの指示に応じてディスプレイ２ａ上に表示される。ファイル送受信部２１は、編集可能な形式のファイルを読み込むファイル読込手段である。
【００３４】
ファイル編集部２２は、電子ペン６等によりディスプレイ２ａ上に筆記された筆記情報をファイルに付加して１つのファイル（編集済みファイル）とする編集処理を行う。例えば、ファイル編集部２２は、ファイルが画像ファイルである場合には、筆記情報を画像データ上に合成して一つの画像ファイルとする。
【００３５】
ワークフロー選択受付部２３は、サーバ装置３からワークフロー一覧を取得し、ワークフローモデルをユーザに選択させる機能を有している。ワークフロー実行指示部２４は、ユーザから電子ペン６等の操作によってなされるワークフローの開始操作を受け付ける。また、ワークフロー実行指示部２４は、ユーザによりワークフローの開始操作がなされると、ワークフローの実行指示を、ファイル編集部２２による編集済みファイルとともにサーバ装置３へ送信する機能を有している。
【００３６】
サーバ装置３は、ワークフロー管理部３１、ジョブ実行部３２、プラグイン３３、ワーク及び各種データ３４〜３６を有している。
【００３７】
ワークフロー管理部３１は、ワークフローを管理する機能を有している。また、ワークフロー管理部３１は、電子黒板２のワークフロー選択受付部２３からの要求に応じ、ワークフロー定義３４からワークフロー一覧を取得して提供する機能を有している。また、ワークフロー管理部３１は、電子黒板２のワークフロー実行指示部２４から筆記情報が付加された編集済みファイルを受信して、編集済みファイル３５として格納する機能を有している。
【００３８】
ジョブ実行部３２は、ワークフロー管理部３１からの要求に応じてワークフローを構成する複数の処理単位（タスク）からなるジョブ（ワークフロージョブ）を実行する機能を有している。
【００３９】
プラグイン３３は、処理単位に対応するプログラム実体であり、ＯＣＲ（Optical Character Reader）処理、一括置換処理、誤字チェック処理、画像補正処理、濃度調整処理、ファイル出力処理等のプラグインを含む。
【００４０】
ワークフロー定義３４は、ワークフローモデルの定義情報である。ワークフローモデルは、実行する処理単位が時系列に並べられ、各種の詳細な設定を付帯している。ワークフロー定義３４には、ワークフローのインスタンスについての各種の情報が含まれる。
【００４１】
補正済みファイル３６は、編集済みファイル３５に対してワークフロージョブによって追加補正されたファイルである。
【００４２】
ワークフロー定義３４の設定は、管理者端末３ａ等のＧＵＩを介して、ワークフロー管理部３１の管理の制御に基づいて行われる。図５は、ワークフローの定義情報の設定画面の一例を示す図である。図５に示される設定画面４００は、一覧領域４１０と、ワークフロー設定領域４２０とを含む。ワークフロー設定領域４２０には、第１ワークフロー設定領域４２１、第２ワークフロー設定領域４２２、第３ワークフロー設定領域４２３が含まれる。
【００４３】
一覧領域４１０は、ワークフローの構成要素として選択可能なプラグインを示す領域である。ワークフロー設定領域４２０は、プラグインにより実現される処理単位の組み合わせ（ワークフローにおける処理の流れ）を設定するための領域である。
【００４４】
例えば、ユーザは、一覧領域４１０の中のプラグインを、ワークフロー設定領域４２０にドラッグ・アンド・ドロップ等することで、プラグインに対応した処理単位をワークフローの構成要素とすることができる。また、ユーザは、ワークフロー設定領域４２０内において、複数の処理単位の接続関係（フロー）を設定することができる。
【００４５】
更に、ワークフロー設定領域４２０内の処理単位（タスク）を表すアイコンをダブルクリック等すると、当該アイコンの処理単位に対する設定画面を表示させて詳細な設定を行うことができる。
【００４６】
なお、電子黒板２に個人認証機能を設け、ワークフローを特定のユーザのみが実行可能とするように、当該個人認証機能の個人識別情報をワークフローに対応付けてもよい。
【００４７】
図５では、３つのワークフローＷＦ１〜ＷＦ３を一画面で作成可能とするように、第１ワークフロー設定領域４２１、第２ワークフロー設定領域４２２、第３ワークフロー設定領域４２３を設けているが、この設定領域の数は適宜変更可能である。第１ワークフロー設定領域４２１、第２ワークフロー設定領域４２２、第３ワークフロー設定領域４２３には、本実施形態で設定されるワークフローＷＦ１〜ＷＦ３をそれぞれ示している。
【００４８】
ＯＣＲ処理は、編集済みファイル３５に含まれる筆記情報を読み取り、文字情報を抽出する処理を行う。一括置換処理は、ＯＣＲ処理により抽出された文字情報の一部を所定の文字に一括して置換する処理を行う。この一括置換処理には、略称を正式名称に置換する処理や、使用禁止の文字列をその他の文字列に置換する等の処理が含まれる。
【００４９】
誤字訂正処理は、ＯＣＲ処理により抽出された文字情報から誤字（脱字を含む）を検出して訂正する処理を行う。この誤字訂正処理には、英語のスペルをチェックして正しいスペルに訂正する処理や、漢字の送り仮名の誤りを検出して正しい送り仮名に訂正する処理が含まれる。
【００５０】
画像補正処理は、筆記情報に含まれる図形を平滑化したり、対応する所定の図形に整形したりする（例えば、手書きで書かれた歪な円形を、きれいな円形に整形する）などの処理を行う。濃度調整処理は、編集済みファイル３５に含まれる画像等の濃度を調整する処理を行う。
【００５１】
ワークフローＷＦ１は、ＯＣＲ処理、一括置換処理、ファイル出力処理がこの順に接続されたものである。ワークフローＷＦ２は、ＯＣＲ処理、誤字訂正処理、ファイル出力処理がこの順に接続されたものである。ワークフローＷＦ２は、ＯＣＲ処理、誤字訂正処理、ファイル出力処理がこの順に接続されたものである。ユーザは、図５に示す例に限られず、処理単位を適宜組み合わせて、所望のワークフローを作成することができる。
【００５２】
ファイル出力処理は、上記処理により追加補正がなされた補正済みファイル３６を電子黒板２やＰＣ４へ出力する処理を行う。なお、ファイル出力処理には、補正済みファイル３６を配信先へ配信する方式に限られず、補正済みファイル３６の格納場所のパスを提示して、電子黒板２やＰＣ４から取得（ダウンロード）する方式であってもよい。
【００５３】
図６は、ワークフローＷＦ１による処理を例示する図である。図６に示す例では、ワークフローＷＦ１を実行することにより、手書きで書かれた「Ｐａｒｔ  Ａ」という文字列が、ＯＣＲ処理された後、文字「Ａ」が文字「Ｂ」に置換されている。
【００５４】
図７は、ワークフローＷＦ２による処理を例示する図である。図７に示す例では、ワークフローＷＦ２を実行することにより、手書きで書かれた「Ｃｈａｎｇｅ  ｔｒａｎｓｎｉｓｓｓｉｏｎ」という文字列が、ＯＣＲ処理された後、誤記（スペルミス）が修正されている。
【００５５】
図８は、ワークフローＷＦ３による処理を例示する図である。図８に示す例では、ワークフローＷＦ３を実行することにより、手書きの線がきれいな楕円形状に整形されるとともに、車の絵の濃度が調整されている。
【００５６】
図９は、情報処理システム１による一連の処理を説明するシーケンス図である。例えば、まず、ＰＣ４から編集可能な形式の１以上のファイルが電子黒板２に送信される（ステップＳ１）。電子黒板２は、ファイル送受信部２１によりファイルが受信されると、ユーザの所定の操作に応じてディスプレイ２ａ上に画像を表示させるとともに、表示画面をＰＣ４，８に共有させる（ステップＳ２）。
【００５７】
ユーザにより電子ペン６等を用いてディスプレイ２ａ上に筆記等が行われた後、電子ペン６等を用いた操作により、筆記を終了する完了操作が行われると（ステップＳ３：ＹＥＳ）、ファイル編集部２２により筆記情報をファイルに付加して編集済みファイルとする編集処理が行われる（ステップＳ４）。
【００５８】
次に、ユーザにより所望のワークフローが選択され、選択されたワークフローをワークフロー選択受付部２３が受け付ける（ステップＳ５）。そして、ユーザによりワークフローの実行開始操作がなされると（ステップＳ６：ＹＥＳ）、ワークフロー実行指示部２４により、編集済みファイルが、ワークフローの実行指示とともにサーバ装置３へ送信される（ステップＳ７）。なお、ステップＳ５，Ｓ６では、ユーザは、複数のファイルに対してワークフローの実行指示を一括して行うことを可能とし、また、複数のワークフローの実行指示を一括して行うことを可能とする。
【００５９】
サーバ装置３では、受信した編集済みファイルが編集済みファイル３５として保存され、電子黒板２から受信した編集済みファイルに対して、ワークフローの実行指示に対応したワークフローが実行される（ステップＳ８）。ワークフローの実行により生成された補正済みファイルは、補正済みファイル３６として保存されるとともに、電子黒板２、及び電子黒板２以外の電子端末であるＰＣ８へ出力される（ステップＳ９）。電子黒板２のファイル送受信部２１は、受信した補正済みファイルを、ＰＣ４へ転送する。
【００６０】
この後、電子黒板２は、補正済みファイルに基づいてディスプレイ２ａ上に画像を表示させるとともに、表示画面をＰＣ４，８に共有させる（ステップＳ１０）。
【００６１】
以上のように、本実施形態によれば、電子黒板２上で筆記された筆記情報に基づいて、電子黒板２に読み込まれたファイルが編集され、さらにサーバ装置３により追加補正が行われる。本実施形態によれば、従来のように筆記情報を含むスキャンデータ等を用いて会議の参加者が会議終了後に各自でファイルを編集する必要がなく、筆記情報に基づいて編集されたファイルのイメージを会議の参加者の間でリアルタイムに共有することができる。
【００６２】
なお、上記実施形態に示した要件に本発明が限定されるものではない。これらの点に関しては、本発明の主旨をそこなわない範囲で変更することができ、その応用形態に応じて適切に定めることができる。
【００６３】
上記実施形態におけるファイル送受信部２１は、ファイル読込手段の一例である。ファイル編集部２２は、ファイル編集手段の一例である。ワークフロー実行指示部２４は、実行指示手段の一例である。ワークフロー選択受付部２３は、選択受付手段の一例である。ジョブ実行部３２及びワークフローＷＦ１〜ＷＦ３は、補正処理手段の一例である。ワークフローＷＦ１〜ＷＦ３に含まれるファイル出力処理は、出力処理手段の一例である。
【符号の説明】
【００６４】
１  情報処理システム
２  電子黒板
２ａ  ディスプレイ
３  サーバ装置
３ａ  管理者端末
６  電子ペン
２１  ファイル送受信部
２２  ファイル編集部
２３  ワークフロー選択受付部
２４  ワークフロー実行指示部
３１  ワークフロー管理部
３２  ジョブ実行部
３３  プラグイン
４００  設定画面
４１０  一覧領域
４２０  ワークフロー設定領域
４２１  第１ワークフロー設定領域
４２２  第２ワークフロー設定領域
４２３  第３ワークフロー設定領域
【先行技術文献】
【特許文献】
【００６５】
【特許文献１】特開２００５−１９７７９６号公報
【図１】
2020127095.tif 000003
【図２】
2020127095.tif 000004
【図３】
2020127095.tif 000005
【図４】
2020127095.tif 000006
【図５】
2020127095.tif 000007
【図６】
2020127095.tif 000008
【図７】
2020127095.tif 000009
【図８】
2020127095.tif 000010
【図９】
2020127095.tif 000011